(57)【要約】【課題】多数のユーザの現在の視聴状況に応じてチャンネル選局を自動的に行うようにすることで、ユーザのチャンネル操作に対する手間を軽減させ、利便性を向上させる。【解決手段】テレビ１０は、現在選局されているチャンネル情報を視聴情報集積サーバ２０に送信する。視聴情報集積サーバ２０は、複数のテレビ１０から送信されてくるチャンネル視聴情報を用いて、複数のテレビで視聴されているチャンネルのランキング情報を生成する。視聴情報集積サーバが生成したランキング情報は、テレビ１０からの要求に応じて、視聴情報集積サーバ２０からテレビ１０に送信する。テレビ１０では、送信されたランキング情報を使用して、例えばランキングの最も高い、つまり最も多くのテレビで視聴されているチャンネルに自動的に選局する処理を行う。【選択図】図１
2011040858.tif 000002
【特許請求の範囲】
【請求項１】
放送信号を受信して選局する選局手段と、該選局手段が選局した放送信号を映像処理して表示させる表示手段とを備えた表示装置において、
通信ネットワークを介して所定の外部機器との間で通信を行う通信手段と、前記選局手段が現在選局している放送信号のチャンネル情報を、前記通信手段により前記外部機器に送信する制御を行う制御手段と、を有することを特徴とする表示装置。
【請求項２】
請求項１に記載の表示装置において、前記制御手段は、前記放送信号のチャンネル情報を、チャンネルの視聴を新たに開始した時点で、または前回のチャンネル情報の送信後所定の時間が経過した時点で前記外部機器に送信することを特徴とする表示装置。
【請求項３】
請求項１または２に記載の表示装置において、前記制御手段は、前記外部機器で集計された視聴チャンネルのランキングを示す情報を前記通信手段により取得し、該取得したランキングを示す情報を使用して、前記選局手段による放送信号の選局を切り換えることを特徴とする表示装置。
【請求項４】
請求項３に記載の表示装置において、前記表示手段は、２つ以上のチャンネルの放送を同時に表示可能とする多画面表示機能を有し、
前記制御手段は、前記多画面表示機能により多画面表示を行っているとき、前記ランキングを示す情報を使用した放送信号の選局の切替を、前記多画面表示のうちの予め定めた１つの画面で実行することを特徴とする表示装置。
【請求項５】
請求項３に記載の表示装置において、前記表示手段は、２つ以上のチャンネルの放送を同時に表示可能とする多画面表示機能を有し、
前記制御手段は、前記多画面表示機能により多画面表示を行っているとき、前記ランキングを示す情報を使用した放送信号の選局の切替を、前記多画面表示のうちの予め定めた複数の画面で実行し、該複数の画面では、ランキング最上位のチャンネルと、その次に上位のチャンネルを順次表示することを特徴とする表示装置。
【請求項６】
請求項３に記載の表示装置において、前記表示手段は、２つ以上のチャンネルの放送を同時に表示可能とする多画面表示機能を有し、
前記制御手段は、前記多画面表示機能により多画面表示を行っているとき、表示を行っている２つ以上のチャンネル情報と、該表示装置で音声出力しているチャンネルを示す情報とを前記外部機器に送信することを特徴とする表示装置。
【請求項７】
請求項３〜６のいずれか１に記載の表示装置において、前記制御手段は、前記外部機器から、所定の地域ごとに視聴チャンネルを集計したランキング情報のなかから、前記表示装置に予め設定されている地域情報に合致する地域のランキング情報を取得し、該取得したランキング情報を使用して放送信号の選局の切替を行うことを特徴とする表示装置。
【請求項８】
請求項３〜７のいずれか１に記載の表示装置において、前記制御手段は、該表示装置に予め設定されている該表示装置を識別するための識別情報と、前記表示装置に予め設定されている表示装置の設置地域を示す地域情報と、前記ランキング情報を使用した選局の切替を実行しているか否かを示す情報と、を前記チャンネル情報とともに前記外部機器に送信させることを特徴とする表示装置。
【請求項９】
受信した放送信号を選局して表示する複数の表示装置に、通信ネットワークを介して接続する表示管理装置であって、
前記表示装置から送信された選局中のチャンネル情報を受信し、該受信した情報を使用して、チャンネルごとに、該チャンネルを選局している表示装置の数を集計してチャンネルのランキング情報を生成するランキング情報生成手段と、前記表示装置に対して前記生成したランキング情報を送信するランキング情報送信手段とを有することを特徴とする表示管理装置。
【請求項１０】
請求項９に記載の表示管理装置において、前記ランキング情報生成手段は、前記表示装置から前記選局中のチャンネル情報とともに送信された、前記表示装置の識別情報を使用して、１つの表示装置から送信された最新のチャンネルの情報であって、かつ集計時から過去所定時間以内に送信されたチャンネルの情報のみを集計して前記ランキング情報を生成することを特徴とする表示管理装置。
【請求項１１】
請求項９または１０に記載の表示管理装置において、前記ランキング情報生成手段は、前記表示装置から前記選局中のチャンネル情報とともに送信された、前記表示装置の設置地域を示す地域情報に基づいて、所定の地域ごとに前記チャンネルごとの表示装置のランキング情報を生成することを特徴とする表示管理装置。
【請求項１２】
請求項９〜１１のいずれか１に記載の表示管理装置において、前記ランキング情報生成手段は、前記表示装置から前記選局中のチャンネル情報とともに送信された、前記ランキング情報を使用した選局の切替を実行しているか否かを示す情報に基づいて、前記ランキング情報を使用した選局の切替を実行している表示装置のチャンネルの情報は、前記ランキング情報の生成に使用しないことを特徴とする表示管理装置。
【請求項１３】
請求項９〜１２のいずれか１に記載の表示管理装置において、前記ランキング情報生成手段は、１つの前記表示装置から２以上のチャンネルの情報が送信され、該チャンネル情報ともに音声出力されている画面のチャンネルを示す情報が送信された場合、音声出力されている画面のチャンネル情報のみを前記ランキング情報の生成に用いることを特徴とする表示管理装置。
【請求項１４】
複数の表示装置と、該複数の表示装置と通信ネットワークを介して接続された表示管理装置とを備える表示管理システムであって、
前記表示装置は、請求項１〜８のいずれか１の表示装置であって、前記表示管理装置は、請求項９〜１３のいずれか１の表示管理装置であることを特徴とする表示管理システム。
【発明の詳細な説明】
【技術分野】
【０００１】
本発明は、表示装置、表示管理装置及び表示管理システムに関し、より詳細には、表示装置で現在選局されている放送信号のチャンネル情報を集計し、その集計した情報を各表示装置におけるチャンネル選局に利用できるようにした表示管理システムと、該表示管理システムを構成する表示装置、及び表示管理装置に関する。
【背景技術】
【０００２】
例えばテレビジョン装置などで受信可能なチャンネルのなかから、ユーザが好みのチャンネルを選局するときに、世間一般に関心度の高いチャンネルの放送番組を見たいという要求がある。このような要求に関して、例えば、特許文献１には、放送番組の世間の関心度を取得してユーザの番組選択の便宜に資することを目的としたデジタル放送受信装置が開示されている。このデジタル放送受信装置は、インターネットによって検索サイトにアクセスし、検索ワードとして番組情報内の各番組のタイトルを送出して、各タイトルについてのヒット件数を取得する。そしてその検索サイトにおけるヒット件数に基づき、数値が多いほど世間の関心度が高い放送番組であるとみなして、各放送番組の世間関心度情報を生成し、ユーザの求めに応じて様々な形態で表示する。
【先行技術文献】
【特許文献】
【０００３】
【特許文献１】特開２００８−７８９４６号公報
【発明の概要】
【発明が解決しようとする課題】
【０００４】
放送信号を受信可能なテレビジョン装置などの表示装置では、通常リモコンなどの操作入力装置を使用して視聴者がチャンネル選局を行っている。しかしながら、例えば、選局可能なチャンネルが多数ある場合で、かつ視聴者がチャンネル選局を積極的に行いたくないときには、視聴者が主体的に行わなくてはならない選局操作が却って苦痛となることもある。
【０００５】
また、特許文献１では、世間関心度情報は番組単位で設定されるため、世間関心度情報が高い番組が選択されると、その番組の放送時間帯では継続してその番組が表示されてしまう。このため、関心度に応じた番組切替が硬直化し、リアルタイムに変化するユーザの関心度を反映させることができないという課題が生じる。例えば、１つの番組の放送中であっても放送内容によっては視聴者の興味や関心が変化することがあるが、引用文献１の技術では、このような変化に追随することができない。
【０００６】
本発明は、上述のごとき実情に鑑みてなされたもので、多数のユーザの現在の視聴状況に応じてチャンネル選局を自動的に行うようにすることで、ユーザのチャンネル操作に対する手間を軽減させ、利便性を向上させることができるようにした表示装置システムと、該表示管理システムを構成する表示装置、及び表示管理装置を提供することを提供することを目的とする。
【課題を解決するための手段】
【０００７】
上記課題を解決するために、本発明の第１の技術手段は、放送信号を受信して選局する選局手段と、選局手段が選局した放送信号を映像処理して表示させる表示手段とを備えた表示装置において、通信ネットワークを介して所定の外部機器との間で通信を行う通信手段と、選局手段が現在選局している放送信号のチャンネル情報を、通信手段により外部機器に送信する制御を行う制御手段と、を有することを特徴としたものである。
【０００８】
第２の技術手段は、第１の技術手段において、制御手段は、放送信号のチャンネル情報を、チャンネルの視聴を新たに開始した時点で、または前回のチャンネル情報の送信後所定の時間が経過した時点で外部機器に送信することを特徴としたものである。
【０００９】
第３の技術手段は、第１または２の技術手段において、制御手段は、外部機器で集計された視聴チャンネルのランキングを示す情報を通信手段により取得し、取得したランキングを示す情報を使用して、選局手段による放送信号の選局を切り換えることを特徴としたものである。
【００１０】
第４の技術手段は、第３の技術手段において、表示手段は、２つ以上のチャンネルの放送を同時に表示可能とする多画面表示機能を有し、制御手段は、多画面表示機能により多画面表示を行っているとき、ランキングを示す情報を使用した放送信号の選局の切替を、多画面表示のうちの予め定めた１つの画面で実行することを特徴としたものである。
【００１１】
第５の技術手段は、第３の技術手段において、表示手段は、２つ以上のチャンネルの放送を同時に表示可能とする多画面表示機能を有し、制御手段は、多画面表示機能により多画面表示を行っているとき、ランキングを示す情報を使用した放送信号の選局の切替を、多画面表示のうちの予め定めた複数の画面で実行し、複数の画面では、ランキング最上位のチャンネルと、その次に上位のチャンネルを順次表示することを特徴としたものである。
【００１２】
第６の技術手段は、第３の技術手段において、表示手段は、２つ以上のチャンネルの放送を同時に表示可能とする多画面表示機能を有し、制御手段は、多画面表示機能により多画面表示を行っているとき、表示を行っている２つ以上のチャンネル情報と、表示装置で音声出力しているチャンネルを示す情報とを外部機器に送信することを特徴としたものである。
【００１３】
第７の技術手段は、第３〜６のいずれか１の技術手段において、制御手段は、外部機器から、所定の地域ごとに視聴チャンネルを集計したランキング情報のなかから、表示装置に予め設定されている地域情報に合致する地域のランキング情報を取得し、取得したランキング情報を使用して放送信号の選局の切替を行うことを特徴としたものである。
【００１４】
第８の技術手段は、第３〜７のいずれか１の技術手段において、制御手段は、表示装置に予め設定されている表示装置を識別するための識別情報と、表示装置に予め設定されている表示装置の設置地域を示す地域情報と、ランキング情報を使用した選局の切替を実行しているか否かを示す情報と、をチャンネル情報とともに外部機器に送信させることを特徴としたものである。
【００１５】
第９の技術手段は、受信した放送信号を選局して表示する複数の表示装置に、通信ネットワークを介して接続する表示管理装置であって、表示装置から送信された選局中のチャンネル情報を受信し、受信した情報を使用して、チャンネルごとに、チャンネルを選局している表示装置の数を集計してチャンネルのランキング情報を生成するランキング情報生成手段と、表示装置に対して生成したランキング情報を送信するランキング情報送信手段とを有することを特徴としたものである。
【００１６】
第１０の技術手段は、第９の技術手段において、ランキング情報生成手段は、表示装置から選局中のチャンネル情報とともに送信された、表示装置の識別情報を使用して、１つの表示装置から送信された最新のチャンネルの情報であって、かつ集計時から過去所定時間以内に送信されたチャンネルの情報のみを集計してランキング情報を生成することを特徴としたものである。
【００１７】
第１１の技術手段は、第９または１０の技術手段において、ランキング情報生成手段は、表示装置から選局中のチャンネル情報とともに送信された、表示装置の設置地域を示す地域情報に基づいて、所定の地域ごとにチャンネルごとの表示装置のランキング情報を生成することを特徴としたものである。
【００１８】
第１２の技術手段は、第９〜１１のいずれか１の技術手段において、ランキング情報生成手段は、表示装置から選局中のチャンネル情報とともに送信された、ランキング情報を使用した選局の切替を実行しているか否かを示す情報に基づいて、ランキング情報を使用した選局の切替を実行している表示装置のチャンネルの情報は、ランキング情報の生成に使用しないことを特徴としたものである。
【００１９】
第１３の技術手段は、第９〜１２のいずれか１の技術手段において、ランキング情報生成手段は、１つの表示装置から２以上のチャンネルの情報が送信され、チャンネル情報ともに音声出力されている画面のチャンネルを示す情報が送信された場合、音声出力されている画面のチャンネル情報のみをランキング情報の生成に用いることを特徴としたものである。
【００２０】
第１４の技術手段は、複数の表示装置と、該複数の表示装置と通信ネットワークを介して接続された表示管理装置とを備える表示管理システムであって、前記表示装置は、第１〜第８のいずれか１の技術手段の表示装置であって、前記表示管理装置は、第９〜第１３のいずれか１の技術手段の表示管理装置であることを特徴としたものである。
【発明の効果】
【００２１】
本発明によれば多数のユーザの現在の視聴状況に応じてチャンネル選局を自動的に行うようにすることで、ユーザのチャンネル操作に対する手間を軽減させ、利便性を向上させることができる。本発明では、自動的に選択されたチャンネルは、ユーザの現在の視聴状況を集計して算出されたものであるため、その時点である程度人気がある放送番組である可能性が高い。よって、ユーザの手間をかけずに自動的に人気があるとされるチャンネルの放送番組を楽しむことが可能となる。
【図面の簡単な説明】
【００２２】
【図１】本発明による表示管理システムの一実施形態の主要構成を説明するためのブロック図である。
【図２】本発明に係る表示装置の一実施形態を説明するためのブロック図である。
【図３】テレビで２画面表示により２種類の放送番組を同時に視聴しているときの自動選局処理を説明するための図である。
【図４】テレビから視聴情報集積サーバに送信するチャンネル視聴情報の一例を示す図である。
【図５】本発明に係る表示管理装置の一実施形態を説明するためのブロック図である。
【図６】視聴情報集積サーバのデータ格納部に格納される情報の一例を示す図である。
【図７】テレビから送信されたチャンネル視聴情報の集計結果の一例を示す図である。
【図８】テレビから送信されたチャンネル視聴情報の集計結果の他の例を示す図である。
【図９】テレビから送信されたチャンネル視聴情報の集計結果の更に他の例を示す図である。
【図１０】本発明の表示装置における処理の一例を説明するためのフローチャートである。
【図１１】本発明の表示装置における処理の一例を説明するためのフローチャートである。
【図１２】本発明の表示管理装置における処理の一例を説明するためのフローチャートである。
【図１３】視聴情報集積サーバがテレビであることを確認するための認証方法の一例を説明する図である。
【発明を実施するための形態】
【００２３】
図１は、本発明に係る表示管理システムの一実施形態の主要構成を説明するためのブロック図である。表示管理システムは、受信可能な放送信号を選局して表示する機能を備えたテレビ１０と、テレビ１０にネットワークを介して接続され、テレビ１０から送信された視聴情報を集積して管理する視聴情報集積サーバ２０とからなっている。テレビ１０は、本発明に係る表示装置の具体的な実施形態であり、視聴情報集積サーバは、本発明に係る表示管理装置の具体的な実施形態である。
【００２４】
視聴情報集積サーバ２０は、複数台のテレビ１０と通信ネットワークを介して接続され、相互に通信が可能となっている。通信ネットワークは、例えば公衆回線網を使用したもので、インターネットによる通信を可能としている。テレビ１０では、視聴情報集積サーバ２０とのインターネット通信を行うためのブラウザが動作可能に保持されている。ブラウザでは、ＵＲＩやＨＴＴＰなどに基き視聴情報集積サーバ２０と通信してそのリソースを取得し、取得したリソースをＨＴＭＬ、ＸＨＴＭＬ、ＸＭＬ、テキスト、画像などの種類に応じて解析する。そして解析結果をもとに文字や画像を適切に配置し、あるいは文字のサイズを調整したり色を付けるなどして最終的に表示させる。
【００２５】
本表示管理システムでは、テレビ１０で現在選局され視聴されているチャンネル情報、つまりテレビ１０で現在どのチャンネルが見られているのかを示す情報を視聴情報集積サーバ２０に送信する。また、このときに、テレビ１０に設定されている視聴地域情報と端末識別情報（テレビＩＤ）とを付加して送信する。視聴地域情報は、テレビ１０が設置される地域を示す地域情報である。また、端末識別情報は、ネットワーク端末としてのテレビ１０を一意に特定するための情報である。これら視聴地域情報と端末識別情報は、チャンネル情報を集計するときに使用される。これらのテレビ１０から送信する情報をチャンネル視聴情報とする。
【００２６】
テレビ１０から視聴情報集積サーバ２０に対するチャンネル視聴情報の送信は、テレビ１０でチャンネルが変更されたとき、つまり新しいチャンネルの視聴を始めたときと、これに加えて、所定の期間ごと（例えば１分ごと）に実行するように定めておく。視聴情報集積サーバ２０では、複数のテレビ１０から送信されてくるチャンネル視聴情報を用いて、複数のテレビで視聴されているチャンネルのランキング情報を生成する。ランキング情報は、例えば集計時から過去所定時間以内（例えば過去１分以内）にテレビ１０から送信されたチャンネル視聴情報に基づいて、視聴されているチャンネルごとのテレビの数を集計して、リアルタイム性の高いランキングとする。
【００２７】
視聴情報集積サーバが生成したランキング情報は、テレビ１０からの要求に応じて、視聴情報集積サーバ２０からテレビ１０に送信する。また、所定のタイミングで視聴情報集積サーバから送り出すようにしてもよい。テレビ１０では、送信されたランキング情報を使用して、例えばランキングの最も高い、つまり最も多くのテレビで視聴されているチャンネルに自動的に選局する処理を行う。
【００２８】
図１の画面１００は、視聴情報集積サーバ２０からテレビ１０に送信され、テレビ１０の表示画面に表示させたランキング情報１００ａの表示例を示している。この例では、テレビ１０の表示画面１１０を２分割し、１方の領域にランキング情報１００ａを用いた自動選局切替を案内する画面１００を表示させる。他方の領域には、現在選局中の放送番組の表示を行う。なお、放送番組の表示領域を更に２分割して２チャンネルの同時表示を可能としてもよく、このときに、ランキング情報に基づいて自動選局する放送番組を表示させるようにしてもよい。
【００２９】
この例では、ランキング情報として、ランキングの順位、番組名、放送波の種類（地上デジタル（地Ｄ）、ＢＳなど）、及びチャンネル番号が表示される。テレビ１０では、ランキングに基づく自動選局モードをユーザ選択することができ、この自動選局モードが選択されているときには、ランキング情報に基づいて、最もランキングの高いチャンネルに自動選局させる。
【００３０】
また、視聴情報集積サーバ２０は、集計したランキング情報をインターネット上に公開して、テレビ１０などの端末でランキング情報を表示させるようにすることができる。画面１０１は、テレビ１０で取得したランキング情報の表示例を示している。画面１０１は、画面１００に表示したランキング情報１００ａを表示させている。ユーザは、これにより現在人気のある番組情報を知ることができる。
【００３１】
図２は、本発明に係る表示装置の一実施形態を説明するためのブロック図で、図１のテレビ１０の要部構成例を示すものである。テレビ１０は、液晶パネルなどの表示画面をもつ表示部１１と、アンテナ３０を介して放送信号を受信するアンテナ信号受信部１２と、アンテナ信号受信部１２により受信した信号を復号するアンテナ信号復号部１３と、テレビ全体の各部を制御する制御部１４と、テレビ１０で現在視聴している情報等の視聴情報を取得する視聴情報取得部１５と、外部ネットワークに接続し、データの送受信を行うための通信部１６と、テレビ１０の機能を実現するためのプログラムを格納するプログラム格納部１７と、各種データを格納するデータ格納部１８と、ユーザによる操作入力を受け付ける操作部１９を備えている。操作部１９としてテレビ１０が備えるリモコンを用いてもよい。この場合、リモコン信号を受信するための図示しないリモコン信号受信部が使用される。本実施形態において、本発明の選局手段は、上記のアンテナ信号受信部１２が該当し、本発明の表示手段は、アンテナ信号復号部１３及び表示部１１が該当する。また、本発明の通信手段は、通信部１６が該当し、制御手段は制御部１４が該当する。
【００３２】
ユーザがテレビ１０にて放送番組を選局して視聴する場合、操作部１９に対してチャンネル選局操作を行う。これによりテレビ１０の制御部１４は、アンテナ信号受信部１２を制御し、選局操作により選択されたチャンネルの放送信号を受信するようにセットする。アンテナ信号受信部１２では、選局されたチャンネルの放送信号を受信し、受信信号はアンテナ信号復号部１３で復号され、復号され映像信号に対して所定の映像処理が行われて表示部１１に表示される。また、放送信号に含まれる音声信号は、アンテナ信号復号部１３で復号されて所定の音声処理が行われ、図示しないスピーカから音声出力される。
【００３３】
視聴情報取得部１５では、テレビ１０で現在視聴されているチャンネル情報を取得する。チャンネル情報とは、現在選局されているチャンネルがどのチャンネルであるかを示す情報であって、放送局を一意に決定できる情報である。また、テレビ１０には、一般にデジタル放送のチャンネル設定や地域の緊急放送の受信に使用するために、そのテレビの設置場所を示す地域情報が設定される。
【００３４】
そして制御部１４の制御により、視聴情報取得部１５で取得したチャンネル情報と、地域情報とを通信部１６から外部ネットワークを介して視聴情報集積サーバ２０に送信する。また、このときに、ネットワーク端末としてのテレビ１０を一意に特定するための端末識別情報（ＩＤ）と、テレビ１０が視聴チャンネルのランキング情報に基づく自動選局を実行しているか否かを示す情報（自動選局情報）とを送信する。端末識別情報は、テレビ１０がシステムに組み込まれて視聴情報集積サーバ２０と通信を開始する際に、視聴情報集積サーバ２０から一意に割り当てたものを用いることができる。また、テレビ１０の製造時に割り当てたテレビ固有の識別情報を使用するようにしてもよい。
データ格納部１８には、予め設定されている地域情報と端末識別情報とが記憶され、さらに視聴中のチャンネル情報と、自動選局情報とが記憶される。制御部１４は、この情報を適宜使用して視聴情報集積サーバ２０へのチャンネル視聴情報の送信を行う。
【００３５】
制御部１４は、チャンネル視聴情報を送信するタイミングを制御する。この場合、制御部１４は、チャンネルが新たに選局されたときに、もしくは選局されているチャンネルが変更されたときに、新たな選局チャンネルまたは変更後の選局チャンネルを視聴情報取得部１５によって取得させ、通信部１６から視聴情報集積サーバ２０に送信させる。また、これに加えて、所定の期間が経過するごとに、そのとき視聴されているチャンネル視聴情報を視聴情報集積サーバ２０に送信する。所定の期間は、適宜定めることができるが、例えば、１分間とすることができる。また、多数のテレビ１０からのチャンネル視聴情報の送信が視聴情報集積サーバ２０に集中しないように、テレビ１０からのチャンネル情報の送信タイミングを視聴情報集積サーバ２０からの指示に応じて決定するようにしてもよい。
【００３６】
また、テレビ１０では、視聴情報集積サーバ２０で集計されたランキング情報を取得して、そのランキングが上位となっているチャンネルを自動選局するモードを備える。ここでは、制御部１４は、操作部１９に対する所定の操作入力に応じて、ランキングに応じてチャンネルを自動選局するモード（以下、自動選局モードとする）に移行する。自動選局モードに移行すると、制御部１４は、視聴チャンネルのランキング情報を視聴情報集積サーバ２０から取得し、取得したランキング情報を表示させる画面（例えば、図１の画面１００）を表示部１１に表示させる。
【００３７】
制御部１４は、ランキング情報で１位となっているチャンネルをアンテナ信号受信部１２で選局し、ランキング１位のチャンネルに自動的に切り換える。これにより視聴情報集積サーバ２０で集計された複数のテレビにおけるチャンネル視聴情報に基づいて、最も視聴されているチャンネルを自動選局して切り換えることができるようになる。
また、このときに制御部１４は、視聴情報集積サーバ２０から取得したランキング情報の画面表示を行うことなく、ランキング１位のチャンネルに自動的に切り換えるようにしてもよい。
【００３８】
また、テレビ１０で、２つ以上のチャンネルの放送を同時に１画面内に表示可能とする多画面表示機能を有している場合、以下のようにランキング情報を用いることができる。
図３は、テレビで２画面表示により２種類の放送番組を同時に視聴しているときの自動選局処理を説明するための図である。上記のような、視聴情報集積サーバ２０で集計したランキング情報を使用してチャンネル選局を行う処理は、テレビ１０に２画面表示を行っている場合にも適用できる。図３に示すように、テレビ１０に対する所定の操作によって、テレビ１０の画面を２分割した１方の領域に、さらに２種類の放送番組を同時に表示可能な第１画面１０２及び第２画面１０３が表示される。また２分割したもう一方の領域には、ランキング情報の表示画面１００が表示される。
【００３９】
テレビ１０では、視聴情報集積サーバ２０から取得したランキング情報を使用して、ランキング１位のチャンネルに自動選局する。このときに、自動選局したチャンネルを表示させる画面は、第１画面１０２と第２画面１０３のいずれか１方とし、他方の画面は、ユーザが任意に選択したチャンネルの表示画面とする。第１画面１０２と第２画面１０３のうち、自動選局する画面をいずれにするかは、ユーザ操作によって適宜決定できるようにする。
【００４０】
また、自動選局した結果、第１画面１０２と第２画面１０３とが同じチャンネルの放送番組になってしまった場合、自動選局画面をランキング２位のチャンネルに変更する制御を行うようにしてもよい。さらに、他の制御例では、第１画面１０２と第２画面１０３の両方をランキング情報に基づいてチャンネルを自動選局するようしてもよい。この場合、第１画面１０２と第２画面１０３のうち一方をランキング１位のチャンネルとし、他方をランキング２位のチャンネルとすることもできる。
また、多機能表示画面における自動チャンネル選局は、上記のような放送番組を２画面表示させる場合のみならず、３画面以上に分割して表示する場合にも適用することができる。
【００４１】
さらに、上記のような自動チャンネル選局処理において、ランキング上位のチャンネルに切り換える際に、他の条件を加味して選局チャンネルを決定するようにしてもよい。例えば、ランキング情報のチャンネルのなかから、現在放送されている放送番組が特定のジャンルの放送であるものについて、その最も上位の放送番組を放送しているチャンネルを選局するようにしてもよい。この場合、視聴情報集積サーバ２０から取得するランキング情報には、放送番組のジャンル情報が含まれている必要がある。あるいは、ランキング上位のチャンネルで現在放送されている放送番組のジャンルコードをデジタル放送信号に含まれる番組情報から取得し、そのジャンルコードをランキング情報と照合して、特定ジャンルの放送番組を放送している最もランキング上位のチャンネルを判断するようにしてもよい。
【００４２】
図４は、テレビから視聴情報集積サーバに送信するチャンネル視聴情報の一例を示す図である。図４（Ａ）は、テレビ１０の１画面で放送番組を視聴しているときに送信するチャンネル視聴情報を示し、図４（Ｂ）は、テレビ１０１で２画面表示により２種類の放送番組を同時に視聴しているときに送信するチャンネル視聴情報を示している。
【００４３】
図４（Ａ）の例では、テレビ１０から視聴情報集積サーバ２０に対して、テレビ１０の端末識別情報であるテレビＩＤと、テレビ１０に設定されている視聴地域情報と、現在の時刻を示す情報（視聴時刻）と、ランキング情報に基づく自動選局を実行しているか否かの情報（自動選局情報）と、選局しているチャンネルの情報（視聴チャンネル情報）とが送信される。
また、図４（Ｂ）に示すように、テレビ１０で２画面にて放送番組を試聴しているときには、上記のテレビＩＤ、視聴地域情報、視聴時刻情報、及び自動選局情報に加えて、２つの選局チャンネルの情報（ここでは、“視聴チャンネル１”、“視聴チャンネル２”）と、音声出力しているチャンネルの情報とを送信している。音声出力の情報は、視聴情報集積サーバ２０の一実施形態において、ランキング情報を生成するときの条件の１つとして使用される。
【００４４】
図５は、本発明に係る表示管理装置の一実施形態を説明するためのブロック図で、表示管理装置を具体化した図１の視聴情報集積サーバ２０の要部構成例を示すものである。視聴情報集積サーバ２０は、当該サーバ２０の機能を実現するためのプログラムを格納するプログラム格納部２１と、視聴情報集積サーバ２０の各部を制御する制御部２２と、外部ネットワークに接続し、データの送受信を行うための通信部２３と、各種データを格納するデータ格納部２４とを備えている。
【００４５】
視聴情報集積サーバ２０は、外部ネットワークに接続された複数のテレビ１０から送信されたチャンネル視聴情報を通信部２３より受信し、データ格納部２４に格納する。チャンネル視聴情報には、上記のように、現在テレビ１０で視聴されているチャンネルを示すチャンネル情報、テレビ１０に設定された視聴地域情報、個々のテレビを一意に識別するための端末識別情報（テレビＩＤ）、テレビ１０がランキング情報に基づいて自動選局を行うモードになっているか否かを示す自動選局情報、視聴時刻情報などが含まれている。
【００４６】
制御部２２は、データ格納部２４に格納した複数のテレビ１０からのチャンネル視聴情報を使用して、視聴チャンネルのランキング情報を生成する。制御部２２は、本発明のランキング情報生成手段に該当するものである。ここでは、チャンネルごとにその視聴数を集計することで、１つのチャンネルを選局しているテレビの台数をカウントする。そして、視聴しているテレビの数が多いチャンネルの順にランキング情報を生成する。
【００４７】
視聴情報集積サーバ２０の制御部２２は、テレビ１０からのランキング情報の取得要求に応じて、生成したランキング情報をテレビ１０に送信する。この送信形態は特に限定されないが、テレビ１０のブラウザで解析してランキング情報の表示画面を表示することができ、かつ、テレビ１０がランキング情報のチャンネル情報を使用してランキング上位のチャンネル選局を行うことできるものとする。ランキング情報は、テレビ１０からの取得要求に応じて制御部２２がその都度動的に生成するものとするが、定期的にランキング情報を生成してデータ格納部２４に格納しておき、テレビ１０からの取得要求に応じてデータ格納部２４から読み出して送出するようにしてもよい。
【００４８】
図６は、視聴情報集積サーバのデータ格納部に格納される情報の一例を示す図である。視聴情報集積サーバ２０のデータ格納部２４には、テレビ１０から送信されたチャンネル視聴情報に含まれる選局中のチャンネル（視聴チャンネル）を示す情報、視聴地域情報、ランキング情報に基づく自動選局が実行中か否かを示す情報（自動選局情報）、端末識別情報（テレビＩＤ）が関連付けられて記憶される。そしてこのときに、端末識別情報ごとに最終の送信時刻に送信された情報のみを格納し、最終以外の過去の古い情報は削除していくか、もしくは使用しないようにする。送信時刻情報は、テレビＩＤ、地域情報、チャンネル情報、自動選局情報とともに管理する。
【００４９】
図７は、テレビから送信されたチャンネル視聴情報の集計結果の一例を示す図である。視聴情報集積サーバ２０の制御部２２は、データ格納部２４に格納した図６に示すような情報を用いて、チャンネル毎にテレビの視聴台数を集計したランキング情報を生成する。
この例では、チャンネルごとに、テレビの台数を集計した視聴台数と、放送中の番組名とが関連付けられて生成される。番組名情報については、デジタル放送波とともに送信される番組情報もしくはｗｅｂサービス等により提供される番組情報を視聴情報集積サーバ２０で取得し、集計したチャンネル情報から、その時点で放送されている番組情報を取得することができる。また、視聴情報集積サーバ２０の管理者が定期的に番組情報を入力してもよい。あるいは、テレビ１０から送信されるチャンネル視聴情報に、テレビで視聴中の放送波から取得した番組名情報を付加してもよい。
【００５０】
チャンネルごとの視聴数の集計には、集計時から過去所定時間以内に送信された情報のみを使用する。例えば図６の例で、集計に使用する所定時間を１分とし、現在時刻（集計時刻）が２００９年７月１６日の２０時２３分４０秒であるとするとき、５番目のテレビＩＤのチャンネル視聴情報は、過去１分間以内にそのテレビから送信されたものではないため、集計には使用しない。この所定時間としては、テレビ１０からの情報送信間隔とは異なる時間を独自に定めることができるが、例えば、テレビ１０からの情報送信間隔に適当なαの値を加えた時間を定めることができる。αは、例えばネットワーク通信の遅延時間を考慮して定めることができる。
【００５１】
所定期間＋α以上の時間にテレビ１０からチャンネル視聴情報が送信されてこない場合には、そのテレビ１０の電源がＯＦＦになっているか、もしくは電源がＯＮであってもそのテレビ１０がチャンネル視聴情報を送信できない状態になっていると考えられる。従って、このようなテレビ１０から送信された情報は、ランキングの集計には使用しないようにする。
【００５２】
また、視聴情報集積サーバ２０が、テレビ１０から送信されたチャンネル視聴情報を使用してランキング情報を生成する際に、チャンネル視聴情報として送信されてきている自動選局情報に基づいて、ランキング情報の生成処理を行うようにする。つまり、自動選局情報に基づいて、テレビ１０がランキング情報に基づいて自動選局を行うモードになっている場合には、視聴情報集積サーバ２０は、自動選局を行う画面に表示された選局チャンネルの情報をランキングの集計に使用しないようにする。ランキング情報に基づき自動選局されたチャンネルの情報をさらにランキング生成に用いると、ランキングが固定化する恐れがあるためである。
図６の例では、５番目のテレビＩＤの自動選局情報が“あり”になっている。つまり、このテレビでは、ランキング情報に基づく自動選局が実行されていることを示している。ランキング情報を生成する際に、このような自動選局が実行されているテレビのチャンネルの情報は、使用しないようにする。
【００５３】
また、図７の例において、ランキング１位の“地上デジタル，チャンネルＡ”と、ランキング２位の“地上デジタル，チャンネルＡ´”とは、放送地域が異なる系列局のチャンネルであり、同じ時間帯に同じ番組が放送されているものである。ランキング３位と４位の“チャンネルＢ”と“チャンネルＢ´”も同様である。この例では、同一番組であっても放送地域が異なるチャンネルについては、個別に集計する。
【００５４】
図８及び図９は、テレビから送信されたチャンネル視聴情報の集計結果の他の例を示す図である。上記図７の例では、系列局の同一番組であっても個別に集計を行ったが、図８の例では、系列局で放送される同一の放送番組については、同じチャンネルであるとして一括して集計する。つまり図８の場合には、図７において、“チャンネルＡ”と“チャンネルＡ´”として個別に集計されていたテレビ台数を、“チャンネルＡ系列”として一括して集計している。これにより、全国でのランキングが生成できる。同系列の同じ番組であるか否かの判断は、チャンネルに対応した番組名、もしくは番組情報から取得した番組内容や放送時間帯等から判断することができる。
【００５５】
また、図９の例では、チャンネル視聴情報に含まれる地域情報を使用して、地域ごとにテレビの視聴台数を集計している。例えば、テレビ１０の設置場所が属する地域が東京都であった場合、関東地方や東京都の地域情報をもつテレビ１０から送信されたチャンネル視聴情報を使用して、該当するテレビ１０の台数をチャンネルごとに集計することができる。
【００５６】
テレビ１０が、視聴情報集積サーバ２０からランキング情報を取得して、ランキング情報に基づく自動選局を行う場合、ランキング情報の集計方法と、そのランキング情報を用いた自動選局の方法は適宜定めておくことができる。
例えば、視聴情報集積サーバ２０では、常に図７、または図８のようなランキング情報を生成し、テレビ１０では、そのランキング情報を用いてランキング上位のチャンネルに切り換える制御を行うようにしてもよい。あるいは、視聴情報集積サーバ２０では、地域ごとのランキング情報を生成し、テレビ１０が自身の地域情報に適合するランキング情報を視聴情報集積サーバ２０から取得し、そのランキング情報を用いてチャンネルの自動選局を行うようにしてもよい。また、このときに、視聴情報集積サーバ２０で複数の地域のランキング情報が生成されていれば、その全てをテレビ１０側に取得し、テレビ１０が必要なランキング情報を判別して、そのランキング情報に基づき自動選局処理を行うようにしてもよい。
【００５７】
図１０は、本発明の表示装置における処理の一例を説明するためのフローチャートで、上記実施形態のテレビ１０におけるチャンネル視聴情報の送信処理例を示すものである。
まず、テレビ１０では、現在視聴しているチャンネル（選局中のチャンネル）を確認する（ステップＳ１）。そして視聴中のチャンネルが変更された場合には（ステップＳ２−Ｙｅｓ）、サーバ送信用のチャンネル視聴情報を設定する（ステップＳ３）。サーバ送信用のチャンネル視聴情報は、現在視聴しているチャンネル情報、テレビ１０の自身の識別情報（端末識別情報）、テレビ１０に設定されている地域情報、及びランキング情報に基づく自動チャンネル選局を実行しているか否かを示す情報（自動選局情報）を含むものである。そして、テレビ１０から視聴情報集積サーバ２０に対してチャンネル視聴情報を送信し（ステップＳ４）、一定時間待機する（ステップＳ５）。
【００５８】
一方、ステップＳ２でチャンネルが変更されていなければ、前回のチャンネル視聴情報の送信から一定時間が経過したか否かを判別する（ステップＳ７）。ここで前回のチャンネル視聴情報の送信から一定時間経過していれば、ステップＳ３に進み、サーバ送信用のチャンネル視聴情報を設定して視聴情報集積サーバ２０に送信し、一定時間待機する。また、前回のチャンネル視聴情報の送信から一定時間経過していなければ、ステップＳ５に進んで一定時間待機する。
【００５９】
ステップＳ５で一定時間待機した後、テレビ１０の電源ＯＦＦを指示された場合には（ステップＳ６−Ｙｅｓ）、処理を終了し、電源ＯＦＦを指示されていなければ、ステップＳ１に戻って現在視聴しているチャンネルを確認する。
【００６０】
図１１は、本発明の表示装置における処理の一例を説明するためのフローチャートで、上記実施形態のテレビ１０におけるチャンネルの自動切替処理例を示すものである。テレビ１０では、選局チャンネルのランキングに応じた選局処理を行うに際し、まず、視聴情報集積サーバ２０に対してチャンネルごとに視聴中のテレビ数を集計したランキング情報を要求する（ステップＳ１１）。そして、視聴情報集積サーバ２０からのランキング情報を受信した場合には（ステップＳ１２−Ｙｅｓ）、受信したランキング情報の読み取りと解析を行い（ステップＳ１３）、ランキング１位のチャンネルが、現在テレビ１０で視聴しているチャンネルと違うか否かを判別する（ステップＳ１４）。
【００６１】
ここでランキング１位のチャンネルと、テレビ１０で現在視聴しているチャンネルとが異なる場合、ランキング１位のチャンネルへの切替を行って（ステップＳ１５）、一定時間待機する（ステップＳ１６）。一方、ランキング１位のチャンネルと、テレビ１０で現在視聴しているチャンネルとが同じであれば、そのまま一定時間待機する（ステップＳ１６）。
ステップＳ１６で一定時間待機後、ランキング情報に基づく自動切替の終了を指示された場合には（ステップＳ１７−Ｙｅｓ）、そのまま処理を終了する。また自動切替の処理が指示されなければ（ステップＳ１７−Ｎｏ）、ステップＳ１１に戻って視聴情報集積サーバ２０にランキング情報を要求する。
【００６２】
図１２は、本発明の表示管理装置における処理の一例を説明するためのフローチャートで、上記実施形態の視聴情報集積サーバ２０における集計処理例を示すものである。
視聴情報集積サーバ２０がテレビ１０からチャンネル視聴情報を受信すると（ステップＳ２１−Ｙｅｓ）、視聴情報集積サーバ２０では受信データの読み取りと解析を行う（ステップＳ２２）。そして、蓄積したチャンネル視聴情報を更新する（ステップＳ２３）。チャンネル視聴情報は、図６に示すごとくの形態でデータ格納部２４に格納され、蓄積される。また、チャンネル視聴情報を受信していなければ、ステップＳ２２〜Ｓ２３の処理は行わない。
【００６３】
次いで、視聴情報集積サーバ２０は、テレビ１０からランキング情報を要求された場合に（ステップＳ２４−Ｙｅｓ）、蓄積したチャンネル視聴情報をもとに、テレビで視聴されているチャンネルを集計してランキング情報を作成し（ステップＳ２５）、テレビ１０に送信する（ステップＳ２６）。そしてステップＳ２１に戻ってテレビからのチャンネル視聴情報の受信を判断する。また、ステップＳ２４でランキング情報の要求がない場合にも、ステップＳ２１に戻って処理を行う。
【００６４】
図１３は、視聴情報集積サーバに送られてくるチャンネル視聴情報がテレビからのものであることを確認するための認証方法の一例を説明する図である。上記のシステムにおいて、視聴情報集積サーバでは、テレビ１０と情報通信を行うために、テレビ１０であることを確認するための認証を行っている。ここでは、共通鍵暗号方式または公開鍵暗号方式を使用して、チャンネル視聴情報を暗号化し、視聴情報集積サーバ２０で復号化して所定方式のチャンネル視聴情報が得られれば、認証が成功したものと判断する。
【００６５】
共通鍵暗号方式を用いる場合には、テレビ１０は、自身が所有している共通鍵を用いてチャンネル視聴情報を暗号化する。そして暗号化したチャンネル視聴情報を視聴情報集積サーバ２０に送信する。視聴情報集積サーバ２０もまた共通鍵を所有しており、この共通鍵を使用して暗号化情報を復号し、チャンネル視聴情報を得る。
一方、公開鍵暗号方式を使用する場合、テレビ１０は、テレビの秘密鍵を所有しており、この秘密鍵によりチャンネル視聴情報を暗号化する。そして暗号化したチャンネル視聴情報を視聴情報集積サーバ２０に送信する。視聴情報集積サーバ２０では、テレビの公開鍵を所有し、この公開鍵を使用して暗号化情報を復号し、チャンネル視聴情報を得る。これらの共通鍵や公開鍵・秘密鍵を用いる暗号化アルゴリズムについては、周知の暗号化アルゴリズムを適宜採用することができる。
【符号の説明】
【００６６】
１０…テレビ、１１…表示部、１２…アンテナ信号受信部、１３…アンテナ信号復号部、１４…制御部、１５…視聴情報取得部、１６…通信部、１７…プログラム格納部、１８…データ格納部、１９…操作部、２０…視聴情報集積サーバ、２１…プログラム格納部、２２…制御部、２３…通信部、２４…データ格納部、３０…アンテナ、１００…表示画面、１００ａ…ランキング情報、１０１…画面、１０２…第１画面、１０３…第２画面。
【図１】
2011040858.tif 000003
【図２】
2011040858.tif 000004
【図３】
2011040858.tif 000005
【図４】
2011040858.tif 000006
【図５】
2011040858.tif 000007
【図６】
2011040858.tif 000008
【図７】
2011040858.tif 000009
【図８】
2011040858.tif 000010
【図９】
2011040858.tif 000011
【図１０】
2011040858.tif 000012
【図１１】
2011040858.tif 000013
【図１２】
2011040858.tif 000014
【図１３】
2011040858.tif 000015